(57)【要約】【課題】  ドリッパーに注湯する際に、内容物が溢れ出ることがなく、喫飲時に不愉快な思いをすることがないドリッパーを提供することである。【解決手段】  両側端に折曲部を有する略矩形状の筒状紙体と、濾過機能を有する袋体とからなり、前記筒状紙体に前記袋体を挿入すると共に前記袋体を前記筒状紙体に固定したドリッパーにおいて、前記袋体は被抽出成分を有する内容物を収納して後に、その開口部を透水性のある蓋体により封止したことを特徴とするドリッパー。【選択図】        図１
2006296543.tif 000002
【特許請求の範囲】
【請求項１】
両側端に折曲部を有する略矩形状の筒状紙体と、濾過機能を有する袋体とからなり、前記筒状紙体に前記袋体を挿入すると共に前記袋体を前記筒状紙体に固定したドリッパーにおいて、前記袋体は被抽出成分を有する内容物を収納して後に、その開口部を透水性のある蓋体により封止したことを特徴とするドリッパー。
【請求項２】
前記封止が熱接着であることを特徴とする請求項１記載のドリッパー。
【発明の詳細な説明】
【技術分野】
【０００１】
本発明は、レギュラーコーヒー粉、紅茶や緑茶の葉等の被抽出成分を有する内容物を濾過する際に使用する使い捨てタイプのドリッパーに関し、さらに詳しくは、レギュラーコーヒー粉、紅茶や緑茶の葉等の被抽出成分を有する内容物が収納された状態のドリッパーに関するものである。
【背景技術】
【０００２】
近年、レギュラーコーヒー、紅茶、緑茶等を愛飲するに際して、利便性がよく、香りや風味もそこそこ満足できるなどの理由から、レギュラーコーヒー粉、紅茶や緑茶の葉等の被抽出成分を有する内容物が収納された使い捨てタイプのドリッパーが独身者や単身赴任者などの使用者に好んで用いられている。
【０００３】
この種のドリッパーは、いずれも折り畳み可能な紙製の器板の内部に漏斗状フィルターを取り付けると共に漏斗状フィルター内にレギュラーコーヒー粉、紅茶や緑茶の葉等の被抽出成分を有する内容物が収納されて封止された構成からなるものであって、使用時にはレギュラーコーヒー粉、紅茶や緑茶の葉等の被抽出成分を有する内容物が収納された収納部を開封して開口を設け、折り畳まれた紙製の器板を起立させると共に、折り畳まれた紙製の器板に設けられた突片あるいは切込や切欠部を利用してカップ壁面にドリッパーを載置固定して、レギュラーコーヒー粉、紅茶や緑茶の葉等の被抽出成分を有する内容物が収納された漏斗状フィルター内に熱湯を注湯することにより、カップ内にレギュラーコーヒーや紅茶、緑茶等を得ることができるようになっている（たとえば、特許文献１参照）。
【０００４】
しかしながら、特許文献１に開示されたドリッパーは、使用時にレギュラーコーヒー粉、紅茶や緑茶の葉等の被抽出成分を有する内容物を収納した収納部を開封する際や収納部を開封したドリッパーをカップ壁面に載置する際に、誤って内容物を零す虞があり、また、レギュラーコーヒー粉、紅茶や緑茶の葉等の被抽出成分を抽出する際に、レギュラーコーヒー粉、紅茶や緑茶の葉等の被抽出成分を有する内容物に熱湯を直接に注湯するために、たとえば、勢いよく注湯すると内容物が注湯時に舞い上がって開口から溢れ出てカップ内に混入し、レギュラーコーヒーや紅茶、緑茶等を喫飲する際に、不愉快な思いをすることがあった。
【特許文献１】特開平９−２８６４５７号公報
【発明の開示】
【発明が解決しようとする課題】
【０００５】
そこで本発明は、上記のような問題点に鑑みてなしたものであって、ドリッパーを開封する際や開封したドリッパーをカップ壁面に載置する際に、内容物を零すことがなく、また、ドリッパーに注湯する際に、内容物が溢れ出ることがなく、喫飲時に不愉快な思いをすることがないドリッパーを提供することである。
【課題を解決するための手段】
【０００６】
本発明者等は、上記課題を達成するために、請求項１記載の本発明は、両側端に折曲部を有する略矩形状の筒状紙体と、濾過機能を有する袋体とからなり、前記筒状紙体に前記袋体を挿入すると共に前記袋体を前記筒状紙体に固定したドリッパーにおいて、前記袋体は被抽出成分を有する内容物を収納して後に、その開口部を透水性のある蓋体により封止したことを特徴とするものである。
【０００７】
また、請求項２記載の本発明は、請求項１記載のドリッパーにおいて、前記封止が熱接着であることを特徴とするものである。
【発明の効果】
【０００８】
本発明のドリッパーは、袋体の開口部を透水性のある蓋体で封止したことにより、ドリッパーの開封からカップ壁面に載置するまでの間にレギュラーコーヒー粉、紅茶や緑茶の葉等の被抽出成分を有する内容物（図示せず）を零すことがなく、また、熱湯を注湯する際には前記蓋体を介してレギュラーコーヒー粉、紅茶や緑茶の葉等の被抽出成分を有する内容物に注湯するために、内容物が注湯時の勢いで舞い上っても蓋体で阻止されるために、絶対にレギュラーコーヒー粉、紅茶や緑茶の葉等の被抽出成分を有する内容物がドリッパー外に溢れ出ることがないという優れた効果を奏するものである。
【発明を実施するための最良の形態】
【０００９】
上記の本発明について、図面等を用いて以下に詳しく説明する。
図１は本発明にかかるドリッパーの一実施例を示す透視平面図、図２は図１に示すドリッパーに用いる筒状紙体の展開図、図３は本発明にかかるドリッパーに用いる袋体の一実施例を説明する図であって、（ａ）は袋体本体の平面図，（ｂ）は蓋体の平面図，（ｃ）は（ｂ）のＸ−Ｘ線断面図、図４は図３の袋体の完成図であって、（ａ）は袋体の平面図，（ｂ）は袋体のＹ−Ｙ線断面図、図５はドリッパーの使用方法を説明する図であり、図中の１はドリッパー、２は筒状紙体、２’は筒状紙体のブランク板、３は袋体、３’は袋体本体、３”は蓋体、３’’’，３２’は熱接着部、２０，２０’は切抜き部、２１，２１’は折込部、２２，２２’は突出フラップ、２３，２３’は中央係合突片、２４は側端係合突片、２６，２７，２６３，２７３は折罫、２８は切欠部、３０は突出片、３２”は未接着部、３３は折部、２１０は前面板、２２０は背面主板、２２０’は背面補助板、２６１，２７１は略コの字状切線、２６２，２７２は略半円状の切欠部、２６４，２７４は円形状の切欠部、２６５，２７５は切線、αは筒状紙体の重ね部、βは折曲部をそれぞれ示す。
【００１０】
図１は本発明にかかるドリッパーの一実施例を示す透視平面図であって、ドリッパー１は両側端に折曲部βを有し、重ね部α（図１上、網点で示した箇所）で接着した両側端の前記折曲部βの略中央部に折込部２１，２１’と、一方の開口縁の略中央部に対向する一対の突出フラップ２２，２２’（図２参照）と、他方の開口縁の略中央部に対向する一対の中央係合突片２３，２３’（図２参照）および両側端部に側端係合突片２４とを備えた略矩形状の筒状紙体２に、濾過機能を有する略逆台形状の袋体３を挿入し、該袋体３の底辺側（図１上、上側）の略中央部に設けた一対の突出片３０を前記筒状紙体２の前記突出フラップ２２，２２’（図示せず）に当接させて外側に折り曲げて前記筒状紙体２の外面に貼着したものであって、前記筒状紙体２の対向する面に、ドリップした際のカップ内に流下する抽出液の液面を確認することができるように切抜き部２０，２０’（図２参照）が設けられているものである。
【００１１】
次に、本発明のドリッパー１を構成する筒状紙体２と濾過機能を有する袋体３について説明する。最初に筒状紙体２について説明する。図２は図１に示すドリッパーに用いる筒状紙体の展開図であって、筒状紙体２は背面補助板２２０’、前面板２１０、背面主板２２０が折罫２６，２７を介して順次連接し、前記前面板２１０の中央部および前記背面主板２２０の略中央部に切抜き部２０’，２０が形成されている。そして、前記折罫２６，２７と直交する上端縁（図２上、上側端縁）の前記前面板２１０の中央部および前記背面主板２２０の略中央部に突出したアール状の両肩部を有する突出フラップ２２’，２２が形成され、前記折罫２６，２７と直交する下端縁の前記前面板２１０の中央部および前記背面主板２２０の略中央部に突出した中央係合突片２３’，２３と前記折罫２６，２７と直交する下端縁(図２上、下側端縁)に前記折罫２６、２７の延長線に対してそれぞれ線対称に突出した側縁係合突片２４が形成され（この中央係合突片２３’，２３と側端係合突片２４により必然的に切欠部２８が形成され）、さらに前記折罫２６，２７のそれぞれの略中央部に前記折罫２６，２７に対して線対称となる略コの字状切線２６１，２７１が形成され、前記切線２６１，２７１に連接して上端縁側に前記折罫２６、２７に対して線対称となるように略半円状の切欠部２６２，２７２が形成され、かつ、前記切線２６１，２７１のそれぞれの両端部から下端縁側に延びて前記折罫２６，２７にそれぞれ交わる前記折罫２６，２７に対して線対称な折罫２６３，２６３および２７３，２７３が形成されると共に前記折罫２６と前記折罫２６３，２６３の交点（図示せず）および前記折罫２７と前記折罫２７３，２７３の交点（図示せず）をそれぞれ中心とする円形状の切欠部２６４，２７４が形成され、さらに前記折罫２６３，２６３および前記折罫２７３，２７３に前記切欠部２６４，２７４から一定距離延びる切線２６５，２７５が形成されたブランク板２’から構成され、該ブランク板２’を最初に前記前面板２１０上に前記背面主板２２０を前記折罫２７で山折りして折り重ね、次に前記背面主板２２０上に前記背面補助板２２０’を前記折罫２６で山折りして折り重ねると共に前記背面主板２２０と前記背面補助板２２０’との重ね部α（図１参照）を接着剤等により接着することにより筒状紙体２を得ることができる。前記ブランク板２’は周知の打抜機で容易に製造することができる。
【００１２】
また、図２から明らかなように、図１に示した前記折込部２１は前記切線２６１と前記略半円状の切欠部２６２と前記切線２６５を一部に有する前記折罫２６３、２６３と前記円形状の切欠部２６４および前記切線２６１と前記円形状の切欠部２６４との間の前記折罫２６で形成されるように構成されると共に前記折込部２１’は前記切線２７１と前記略半円状の切欠部２７２と前記切線２７５を一部に有する前記折罫２７３、２７３と前記円形状の切欠部２７４および前記切線２７１と前記円形状の切欠部２７４との間の前記折罫２７で形成されるように構成されている。前記筒状紙体２を形成する材料としては、たとえば、２００〜３４０ｇ／ｍ2の耐水カード紙、アイボリー紙などの厚紙が適当である。
【００１３】
次に、袋体３について説明する。本発明に用いる袋体３としては、袋体本体３’と該袋体本体３’の開口部を封止する透水性のある蓋体３”で構成される。前記袋体本体３’としては濾過機能を有する素材であれば特に限定するものではなく、袋体とする際の加工性を考慮すると素材そのもの自体が熱接着性を有するもの、あるいは、最内層が熱接着性を有するものが好ましい。たとえば、ポリエチレンやポリプロピレン等のオレフィン系ないしエステル系等の透水性を有する不織布、あるいは、最内層にポリエチレンやポリプロピレン等のオレフィン系ないしエステル系等の熱可塑性樹脂を含有している層を有する２ないし３層構成からなる濾紙等を例示することができる。また、前記蓋体３”としては、透水性のある素材であれば特に限定するものではないが、通常、前記袋体本体３’と前記蓋体３”とは熱接着にて封止されるために、素材そのもの自体が熱接着性を有するもの、あるいは、多層からなるものであって、両面に熱接着性を有する不織布や濾紙等が適当である。
【００１４】
次に、前記袋体３の製造方法について説明する。前記袋体３の製造方法としては、たとえば、熱接着性を有するロール状の長尺シート、具体的には最内層に変性ポリプロピレンを含有している３層構成からなる濾紙を長手方向と平行に２つ折りして折部３３を形成するなり、あるいは、前記折部３３をＷ折り（ガセット折り）するなりして重ね合わせて、所定箇所を熱接着して熱接着部３２’となる箇所を形成して後に、断裁および／ないし打抜きすることにより、図３（ａ）に示すように、上部中央に突出片３０を有すると共に前記熱接着部３２’の上部に未接着部３２”を有する袋体本体３’を製造する。次に、前記袋体本体３’内に前記突出片３０側を吸引板等により開口してレギュラーコーヒー粉、紅茶や緑茶の葉等の被抽出成分を有する内容物（図示せず、以下内容物と呼称する）を充填して後に、図３（ｂ）および（ｃ）に示す蓋体３”を吸着した断面略Ｖ字形状の吸着板を前記開口部から、その先端が前記熱接着部３２’の上部に当接するように挿入すると共に前記袋体本体３’の外側から所定形状の熱板で熱接着して略コの字状の熱接着部３２’’’を形成することにより、前記袋体本体３’内に内容物（図示せず）を収納すると共に、開口部を蓋体３”で封止した袋体３を製造することができる。なお、前記袋体３は折部３３がＷ折り（ガセット折り）に形成されたものであって、折部３３が２つ折りに形成されたもの（図示せず）と比べて、内容物の収容量を多くすることができると共に袋体３内に熱湯等を注ぐと袋体３の底部が完全に開くために効率よく抽出液を得ることができる。上記した袋体３の製造方法は、一実施例を示したものであって、これに限るものではない。
【００１５】
前記筒状紙体２への前記袋体３の組付けは、前記筒状紙体２に前記袋体３を挿入して前記袋体３の開口縁の略中央部に設けた一対の突出片３０を前記筒状紙体２の一方の開口縁の略中央部に設けた対向する一対の突出フラップ２２、２２’に当接させて外側に折り曲げて前記筒状紙体２の外面に貼着することにより図１に示すドリッパー１とすることができる。
【００１６】
なお、前記袋体３の突出片３０を前記筒状紙体２に貼着する個所は、図１においての前記筒状紙体２の一方の開口縁側（図１上の上縁側）の略中央部とすることが望ましく、これは使用時に前記筒状紙体２を筒状に起立させた際に、前記筒状紙体２の上縁側で前記袋体３の前記突出片３０が貼着されていることで、前記袋体３の両側面が持ち上がり、前記袋体３の前記蓋体３”が確実に開き、注湯や抽出に適するためである。なお、前記筒状紙体２と前記袋体３の前記突出片３０との貼着は、ホットメルト型、溶剤型、水性型、反応型、感圧型等の接着剤から適宜選択して用いることができる。また、前記ブランク板２’の前記背面主板２２０と前記背面補助板２２０’との重ね部α（図１参照）を接着する接着剤についても同様に上記した接着剤から適宜選択して用いることができる。
【００１７】
なお、ドリッパー１において、前記切抜き部２０、２０’はドリップした際のカップ内に流下する抽出液の液面を確認することができるように設けたものであるが、必要不可欠なものではないし、また、前記切線２６５，２７５は前記折込部２１，２１’を折込み易くする手段として設けるものであり、必要不可欠なものではない。
【００１８】
次に、今まで説明してきた本発明のドリッパー１について、使用方法を説明する。まず、前記筒状紙体２の折曲部βに設けた折込部２１，２１’を前記筒状紙体２の内側に手指で折込んで前記筒状紙体２を筒状に開口し、次に前記筒状紙体２の中央係合突片２３，２３’がカップの壁面の内側、そして、前記筒状紙体２の側端係合突片２４がカップ壁面の外側となるように切欠部２８をカップ壁面に挿入して図５に示すようにドリッパーをカップに載置固定する。次に、蓋体３”上に適当量の熱湯を注湯する。前記蓋体３”は透水性に優れるために、注湯した熱湯は直ぐに内容物（図示せず）に注湯されると共にカップ内に所望の抽出液が流下し、この抽出液を喫飲することができる。本発明のドリッパー１は、袋体３の開口部に透水性を有する蓋体３”を設けた構成からなるために、ドリッパーの開封からカップ壁面に載置するまでの間に内容物（図示せず）を零すことがなく、また、熱湯を注湯して内容物（図示せず）が袋体３内で舞い上がっても、内容物がドリッパー１の外に溢れ出ることがなく、抽出液に内容物が混入することを防止することができ、喫飲時に不愉快な思いをすることがない。
【００１９】
なお、ドリッパー１において、今までの説明では、蓋体３”を熱接着により袋体本体３’に封止したが、ローレット等を用いて前記袋体本体３’に蓋体３”を噛み込ませて封止してもよく、この場合に用いる蓋体３”の材料としては、透水性を有する材料であって、前記袋体本体３’に対して噛み込ませることができる不織布あるいは濾紙であればよく、熱接着性を有する材料でなくてもよいものである。
【図面の簡単な説明】
【００２０】
【図１】本発明にかかるドリッパーの一実施例を示す透視平面図である。
【図２】図１に示すドリッパーに用いる筒状紙体の展開図である。
【図３】本発明にかかるドリッパーに用いる袋体の一実施例を説明する図であって、（ａ）は袋体本体の平面図，（ｂ）は蓋体の平面図，（ｃ）は（ｂ）のＸ−Ｘ線断面図である。
【図４】図３の袋体の完成図であって、（ａ）は袋体の平面図，（ｂ）は袋体のＹ−Ｙ線断面図である。
【図５】ドリッパーの使用方法を説明する図である。
【符号の説明】
【００２１】
１                                    ドリッパー
２                                    筒状紙体
２’                                  筒状紙体のブランク板
３                                    袋体
３’                                  袋体本体
３”                                  蓋体
３’’’，３２’                      熱接着部
２０，２０’                          切抜き部
２１，２１’                          折込部
２２，２２’                          突出フラップ
２３，２３’                          中央係合突片
２４                                  側端係合突片
２６，２７，２６３，２７３            折罫
２８                                  切欠部
３０                                  突出片
３２”                                未接着部
３３                                  折部
２１０                                前面板
２２０                                背面主板
２２０’                              背面補助板
２６１，２７１                        略コの字状切線
２６２，２７２                        略半円状の切欠部
２６４，２７４                        円形状の切欠部
２６５，２７５                        切線
α                                    筒状紙体の重ね部
β                                    折曲部
【図１】
2006296543.tif 000003
【図２】
2006296543.tif 000004
【図３】
2006296543.tif 000005
【図４】
2006296543.tif 000006
【図５】
2006296543.tif 000007